(57)【特許請求の範囲】
【請求項１】
外部からの電源電圧を受けて第１駆動電圧を出力する第１電圧発生部と、
前記電源電圧を受けて第２駆動電圧を出力する第２電圧発生部と、
前記第１及び第２電圧発生部からの前記第１及び第２駆動電圧をそれぞれ受けて、所定の時点で第３駆動電圧を出力する出力タイミング制御部と、
前記出力タイミング制御部から前記第３駆動電圧を受けて複数のガンマ電圧を出力するガンマ電圧発生部と、
前記出力タイミング制御部からの前記第３駆動電圧に応答して動作し、前記ガンマ電圧発生部から供給された前記複数のガンマ電圧に基づいて第１画像信号を第１データ信号に変換する第１データ駆動部と、
前記出力タイミング制御部からの前記第３駆動電圧に応答して動作し、前記ガンマ電圧発生部から供給された前記複数のガンマ電圧に基づいて第２画像信号を第２データ信号に変換する第２データ駆動部と、を有することを特徴とする駆動装置。
【請求項２】
前記出力タイミング制御部は、ＡＮＤゲート構造を有し、前記第１及び第２駆動電圧がすべて“ハイ”状態である時、前記第３駆動電圧を出力することを特徴とする請求項１に記載の駆動装置。
【請求項３】
外部からの電源電圧を受けて複数の駆動電圧をそれぞれ出力する複数の電圧発生部と、
前記複数の電圧発生部からの前記複数の駆動電圧を受け、所定の時点でタイミング制御信号に応答して共通駆動電圧を出力する出力タイミング制御部と、
前記出力タイミング制御部からの前記共通駆動電圧を受けて複数のガンマ電圧を出力するガンマ電圧発生部と、
前記出力タイミング制御部からの前記共通駆動電圧に応答して動作し、前記ガンマ電圧発生部から提供された前記複数のガンマ電圧に基づいて画像信号をデータ信号に変換する複数のデータ駆動部と、を有することを特徴とする駆動装置。
【請求項４】
前記出力タイミング制御部は、複数の駆動電圧をそれぞれ受ける複数の入力端子と前記共通駆動電圧を出力する複数の出力端子との間に接続される複数のトランジスタとを含み、
前記複数のトランジスタの各々は、前記複数の入力端子のうち対応する入力端子に接続される入力電極と、前記タイミング制御信号を受信する制御電極と、前記複数の出力端子のうち対応する出力端子に接続される出力電極と、を含み、前記タイミング制御信号に応答して前記共通駆動電圧を前記対応する出力端子に出力することを特徴とする請求項３に記載の駆動装置。
【請求項５】
前記タイミング制御信号を発生させて前記出力タイミング制御部に供給するタイミングコントローラをさらに有することを特徴とする請求項３に記載の駆動装置。
【請求項６】
外部からの電源電圧を受けて第１駆動電圧を出力する第１電圧発生部と、
前記電源電圧を受けて第２駆動電圧を出力する第２電圧発生部と、
前記第１及び第２電圧発生部からの前記第１及び第２駆動電圧をそれぞれ受けて、所定の時点で第３駆動電圧を出力する出力タイミング制御部と、
前記出力タイミング制御部からの前記第３駆動電圧を受けて複数のガンマ電圧を出力するガンマ電圧発生部と、
前記出力タイミング制御部からの前記第３駆動電圧に応答して動作し、前記ガンマ電圧発生部から供給された前記複数のガンマ電圧に基づいて第１画像信号を第１データ信号に変換する第１データ駆動部と、
前記出力タイミング制御部からの前記第３駆動電圧に応答して動作し、前記ガンマ電圧発生部から供給された前記複数のガンマ電圧に基づいて第２画像信号を第２データ信号に変換する第２データ駆動部と、
前記第１及び第２電圧発生部のうちの何れか一つから出力されたゲートオン電圧及びゲートオフ電圧を受けてゲート信号を順次に出力するゲート駆動部と、
前記ゲート信号に応答して、前記第１及び第２データ信号を受信して画像を表示する表示パネルと、を有することを特徴とする表示装置。
【請求項７】
前記出力タイミング制御部は、ＡＮＤゲート構造を有し、前記第１及び第２駆動電圧がすべて“ハイ”状態である場合、第３駆動電圧を出力することを特徴とする請求項６に記載の表示装置。
【請求項８】
前記タイミング制御信号を発生させて前記出力タイミング制御部に供給するタイミングコントローラをさらに有することを特徴とする請求項６に記載の表示装置。
【請求項９】
前記第１及び第２電圧発生部と、前記出力タイミング制御部と、前記ガンマ電圧発生部とが実装されるメイン印刷回路基板をさらに含むことを特徴とする請求項６に記載の表示装置。
【請求項１０】
前記第１及び第２駆動電圧は、時間の経過によって互いに異なる電圧レベルを有することを特徴とする請求項６記載の表示装置。
【請求項１１】
外部からの電源電圧を受け、第１及び第２駆動電圧を出力するステップと、
前記第１及び第２駆動電圧がすべて“ハイ”状態である時、第３駆動電圧を出力するステップと、
前記第３駆動電圧に応答して複数のガンマ電圧を出力するステップと、
前記第３駆動電圧に応答して第１画像信号を前記複数のガンマ電圧に基づいて第１データ信号に変換するステップと、
前記第３駆動電圧に応答して第２画像信号を前記複数のガンマ電圧に基づいて第２データ信号に変換するステップと、
ゲート信号を順次に出力するステップと、
前記ゲート信号に応答して前記第１及び第２データ信号に対応する画像を表示するステップと、を有し、
前記第１駆動電圧と前記第２駆動電圧は、互いに異なる時間に“ロウ”状態から“ハイ”状態に変化することを特徴とする表示装置の駆動方法。
【請求項１２】
前記第１及び第２駆動電圧が全て“ハイ”状態である時に発生されるタイミング制御信号に応答して前記第３駆動電圧を出力するステップをさらに有することを特徴とする請求項１１に記載の表示装置の駆動方法。
【発明の詳細な説明】
【技術分野】
【０００１】
本発明は、駆動装置並びにこれを有する表示装置及びその駆動方法に関し、さらに詳細には、データ駆動部の損傷を防止することができる駆動装置並びにこれを有する表示装置及びその駆動方法に関する。
【背景技術】
【０００２】
一般的に液晶表示装置は、画像を表示する液晶表示パネル及び液晶表示パネルを駆動する駆動装置を含む。駆動装置は、液晶表示パネルにゲート信号を供給するゲート駆動部及びデータ信号を供給するデータ駆動部からなる。また、駆動装置には、ゲート駆動部及びデータ駆動部に駆動電圧を印加するための電圧発生部とガンマ電圧を生成するガンマ電圧発生部とがさらに具備され得る。
【０００３】
液晶表示パネルが大型化すれば、電圧発生部から出力される駆動電圧の出力容量が不足する可能性があるため、最近の駆動装置には複数の電圧発生部が具備され得る。一例として、二つの電圧発生部が具備される場合、データ駆動部は液晶表示パネルの左側に具備される左側駆動チップ及び液晶表示パネルの右側に具備される右側駆動チップに区分される。左側駆動チップと右側駆動チップは、二つの電圧発生部から相違する駆動電圧を受信する。
【０００４】
しかし、二つの電圧発生部から出力される駆動電圧の間に時間差が生じ得る。即ち、互いに時間差を有する二つの駆動電圧が、左側及び右側の駆動チップにそれぞれ印加されると、左側及び右側の駆動チップの動作時点に時間差が生じる。その結果、液晶表示パネルに視認される左／右側の画面の間にも時間差が生じ、これによって液晶表示パネルの表示品質が低下する。
一方、ガンマ電圧発生部は、二つの電圧発生部のうちどちらか一つから駆動電圧を受信して複数のガンマ電圧を生成し、生成された複数のガンマ電圧は左側及び右側駆動チップに供給される。
【０００５】
二つの電圧発生部から出力される駆動電圧の間に時間差が生じると、左側及び右側駆動チップのうちどちらか一つは駆動電圧よりも先に複数のガンマ電圧を受信し得る。しかし、駆動チップ内では駆動電圧が複数のガンマ電圧より常に高い電位を有するように設計されているため、複数のガンマ電圧が先に受信された場合は、逆電位が形成されて駆動チップに損傷が発生するおそれがあるという問題がある。
【発明の開示】
【発明が解決しようとする課題】
【０００６】
そこで、本発明は上記従来の液晶表示装置における問題点に鑑みてなされたものであって、本発明の目的は、データ駆動部の損傷を防止することができる駆動装置を提供することにある。
【０００７】
また、本発明の他の目的は、表示品質を改善し、且つデータ駆動部の損傷を防止することができる表示装置を提供することにある。
また、本発明のさらに他の目的は、前記表示装置を駆動するために適用される方法を提供することにある。
【課題を解決するための手段】
【０００８】
上記目的を達成するためになされた本発明による駆動装置は、外部からの電源電圧を受けて第１駆動電圧を出力する第１電圧発生部と、前記電源電圧を受けて第２駆動電圧を出力する第２電圧発生部と、前記第１及び第２電圧発生部からの前記第１及び第２駆動電圧をそれぞれ受けて、所定の時点で第３駆動電圧を出力する出力タイミング制御部と、前記出力タイミング制御部から前記第３駆動電圧を受けて複数のガンマ電圧を出力するガンマ電圧発生部と、前記出力タイミング制御部からの前記第３駆動電圧に応答して動作し、前記ガンマ電圧発生部から供給された前記複数のガンマ電圧に基づいて第１画像信号を第１データ信号に変換する第１データ駆動部と、前記出力タイミング制御部からの前記第３駆動電圧に応答して動作し、前記ガンマ電圧発生部から供給された前記複数のガンマ電圧に基づいて第２画像信号を第２データ信号に変換する第２データ駆動部とを有することを特徴とする。
【０００９】
また、上記目的を達成するためになされた本発明による駆動装置は、外部からの電源電圧を受けて複数の駆動電圧をそれぞれ出力する複数の電圧発生部と、前記複数の電圧発生部からの前記複数の駆動電圧を受け、所定の時点でタイミング制御信号に応答して共通駆動電圧を出力する出力タイミング制御部と、前記出力タイミング制御部からの前記共通駆動電圧を受けて複数のガンマ電圧を出力するガンマ電圧発生部と、前記出力タイミング制御部からの前記共通駆動電圧に応答して動作し、前記ガンマ電圧発生部から提供された前記複数のガンマ電圧に基づいて画像信号をデータ信号に変換する複数のデータ駆動部とを有することを特徴とする。
【００１０】
上記目的を達成するためになされた本発明による表示装置は、外部からの電源電圧を受けて第１駆動電圧を出力する第１電圧発生部と、前記電源電圧を受けて第２駆動電圧を出力する第２電圧発生部と、前記第１及び第２電圧発生部からの前記第１及び第２駆動電圧をそれぞれ受けて、所定の時点で第３駆動電圧を出力する出力タイミング制御部と、前記出力タイミング制御部からの前記第３駆動電圧を受けて複数のガンマ電圧を出力するガンマ電圧発生部と、前記出力タイミング制御部からの前記第３駆動電圧に応答して動作し、前記ガンマ電圧発生部から供給された前記複数のガンマ電圧に基づいて第１画像信号を第１データ信号に変換する第１データ駆動部と、前記出力タイミング制御部からの前記第３駆動電圧に応答して動作し、前記ガンマ電圧発生部から供給された前記複数のガンマ電圧に基づいて第２画像信号を第２データ信号に変換する第２データ駆動部と、前記第１及び第２電圧発生部のうちの何れか一つから出力されたゲートオン電圧及びゲートオフ電圧を受けてゲート信号を順次に出力するゲート駆動部と、前記ゲート信号に応答して、前記第１及び第２データ信号を受信して画像を表示する表示パネルとを有することを特徴とする。
【００１１】
上記目的を達成するためになされた本発明による表示装置の駆動方法は、外部からの電源電圧を受け、第１及び第２駆動電圧を出力するステップと、前記第１及び第２駆動電圧がすべて“ハイ”状態である時、第３駆動電圧を出力するステップと、前記第３駆動電圧に応答して複数のガンマ電圧を出力するステップと、前記第３駆動電圧に応答して第１画像信号を前記複数のガンマ電圧に基づいて第１データ信号に変換するステップと、前記第３駆動電圧に応答して第２画像信号を前記複数のガンマ電圧に基づいて第２データ信号に変換するステップと、ゲート信号を順次に出力するステップと、前記ゲート信号に応答して前記第１及び第２データ信号に対応する画像を表示するステップとを有し、前記第１駆動電圧と前記第２駆動電圧は、互いに異なる時間に“ロウ”状態から“ハイ”状態に変化することを特徴とする。
【発明の効果】
【００１２】
本発明に係る駆動装置並びにこれを有する表示装置及びその駆動方法によれば、第１及び第２電圧発生部を具備する場合、出力タイミング制御部は第１及び第２電圧発生部から出力される複数の駆動電圧の間に生じる時間差を除去する。したがって、表示パネルの左／右側にそれぞれ具備される第１及び第２データ駆動部の駆動時点を一致させることができ、結果的に表示パネルの左／右側の画面表示における時間差を除去することで表示品質を改善できるという効果がある。
【００１３】
また、ガンマ電圧発生部は出力タイミング制御部から第３駆動電圧を受信して複数のガンマ電圧を出力するので、複数のガンマ電圧は第３駆動電圧より後で第１及び第２データ駆動部に印加することができる。即ち、第１及び第２データ駆動部内で複数のガンマ電圧と第３駆動電圧との間に逆電位が発生することを防止でき、これによって第１及び第２データ駆動部の損傷を防止することができるという効果がある。
【発明を実施するための最良の形態】
【００１４】
次に、本発明に係る駆動装置並びにこれを有する表示装置及びその駆動方法を実施するための最良の形態の具体例を図面を参照しながら説明する。
【００１５】
図１は、本発明の一実施形態による駆動装置のブロック図である。
図１に示すように、駆動装置１００は、第１及び第２電圧発生部１１０、１２０と、出力タイミング制御部１３０と、ガンマ電圧発生部１４０と、第１及び第２データ駆動部１５０、１６０と、を含む。
【００１６】
第１及び第２電圧発生部１１０、１２０は、外部から電源電圧Ｖｐｏｗｅｒを受けて、第１駆動電圧ＡＶＤＤ１及び第２駆動電圧ＡＶＤＤ２をそれぞれ出力する。第１及び第２駆動電圧ＡＶＤＤ１、ＡＶＤＤ２は、相違する電圧発生部から別々に生成されるため、時間によって少しずつ異なる電圧レベルを有し得る。例えば、第２駆動電圧ＡＶＤＤ２が第１駆動電圧ＡＶＤＤ１より少し後で生成され得る。
【００１７】
第１及び第２電圧発生部１１０、１２０から各々出力された第１及び第２駆動電圧ＡＶＤＤ１、ＡＶＤＤ２は、出力タイミング制御部１３０に供給される。出力タイミング制御部１３０は、時間差を有して発生された第１及び第２駆動電圧ＡＶＤＤ１、ＡＶＤＤ２を受けて、予め決められた所定の時点で第１及び第２出力端子ＯＴ１、ＯＴ２に第３駆動電圧ＡＶＤＤ３を同時に出力する。即ち、出力タイミング制御部１３０は、互いに時間差を有して発生された第１及び第２駆動電圧ＡＶＤＤ１、ＡＶＤＤ２を同期させる。
【００１８】
ガンマ電圧発生部１４０は、出力タイミング制御部１３０の第１出力端子ＯＴ１に電気的に接続され、第１出力端子ＯＴ１から第３駆動電圧ＡＶＤＤ３を受ける。ガンマ電圧発生部１４０は、第３駆動電圧ＡＶＤＤ３に基づいて、互いに異なる電圧レベルを有する複数のガンマ電圧ＶＧＭＭＡを出力する。具体的には、ガンマ電圧発生部１４０は、第３駆動電圧ＡＶＤＤ３とソース電圧（図示せず）との間に接続された抵抗ストリングを含む。ここで、ソース電圧は、接地電圧と同一、又は接地電圧より低い電圧レベルを有し得る。
【００１９】
ガンマ電圧発生部１４０は、第３駆動電圧ＡＶＤＤ３とソース電圧との間の電圧レベルを有する複数のガンマ電圧ＶＧＭＭＡを出力する。即ち、抵抗ストリングに含まれた抵抗の個数をＲとすると、ガンマ電圧発生部１４０は、Ｒ個の抵抗によって分割されたＲ−１個のガンマ電圧ＶＧＭＭＡを出力することができる。
【００２０】
第１データ駆動部１５０は、出力タイミング制御部１３０の第１出力端子ＯＴ１に電気的に接続され、第３駆動電圧ＡＶＤＤ３に応答して動作する。第２データ駆動部１６０は、出力タイミング制御部１３０の第２出力端子ＯＴ２に電気的に接続され、第３駆動電圧ＡＶＤＤ３に応答して動作する。
また、第１及び第２データ駆動部１５０、１６０は、ガンマ電圧発生部１４０から複数のガンマ電圧ＶＧＭＭＡを受ける。
【００２１】
ガンマ電圧発生部１４０は、出力タイミング制御部１３０から出力された第３駆動電圧ＡＶＤＤ３に基づいて複数のガンマ電圧ＶＧＭＭＡを発生させるので、複数のガンマ電圧ＶＧＭＭＡは、第３駆動電圧ＡＶＤＤ３より後で第１及び第２データ駆動部１５０、１６０に供給される。第３駆動電圧ＡＶＤＤ３の電圧レベルが複数のガンマ電圧ＶＧＭＭＡの電圧レベルより低い場合は、逆電位が発生して第１及び第２データ駆動部１５０、１６０それぞれのＰＮ接合（ｊｕｎｃｔｉｏｎ）部分に損傷が生じ得る。
【００２２】
しかし、本発明において、複数のガンマ電圧ＶＧＭＭＡは、常に第３駆動電圧ＡＶＤＤ３より後で発生するので、第１及び第２データ駆動部１５０、１６０では第３駆動電圧ＡＶＤＤ３の電圧レベルが複数のガンマ電圧ＶＧＭＭＡの電圧レベルより低い逆電位は発生しない。
したがって、第１及び第２データ駆動部１５０、１６０のそれぞれのＰＮ接合（ｊｕｎｃｔｉｏｎ）部分の損傷を防止できる。
【００２３】
第１データ駆動部１５０は、複数のガンマ電圧ＶＧＭＭＡに基づいて、外部から供給された第１画像信号を第１データ信号Ｄ１〜Ｄｍに変換して出力する。第２データ駆動部１６０は、複数のガンマ電圧ＶＧＭＭＡに基づいて、外部から供給された第２画像信号を第２データ信号Ｄｍ＋１〜Ｄ２ｍに変換して出力する。
【００２４】
図２は、図１に示した出力タイミング制御部の回路図であって、図３は、図２に示した出力タイミング制御部の入／出力波形図である。
図２及び図３に示すように、出力タイミング制御部１３０は、第１電圧発生部１１０（図１参照）から第１駆動電圧ＡＶＤＤ１を受ける第１入力端子ＩＴ１と、第２電圧発生部１２０（図１参照）から第２駆動電圧ＡＶＤＤ２を受ける第２入力端子ＩＴ２と、第３駆動電圧ＡＶＤＤ３を同時に出力する第１及び第２出力端子ＯＴ１、ＯＴ２とを含む。
【００２５】
なお、出力タイミング制御部１３０は、第１入力端子ＩＴ１と第１出力端子ＯＴ１との間に配置された第１トランジスタＴｒ１及び第２入力端子ＩＴ２と第２出力端子ＯＴ２との間に配置された第２トランジスタＴｒ２を有する。
具体的には、第１トランジスタＴｒ１は、第１入力端子ＩＴ１に接続された入力電極と、第２入力端子ＩＴ２に接続された制御電極と、第１出力端子ＯＴ１に接続された出力電極とで構成される。第２トランジスタＴｒ２は、第２入力端子ＩＴ２に接続された入力電極と、第１入力端子ＩＴ１に接続された制御電極と、第２出力端子ＯＴ２に接続された出力電極とで構成される。
【００２６】
したがって、第１トランジスタＴｒ１は、第２駆動電圧ＡＶＤＤ２に応答して第３駆動電圧ＡＶＤＤ３を出力し、第２トランジスタＴｒ２は、第１駆動電圧ＡＶＤＤ１に応答して第３駆動電圧ＡＶＤＤ３を出力する。即ち、第１及び第２駆動電圧ＡＶＤＤ１、ＡＶＤＤ２がすべて“ハイ”状態である時、第１及び第２トランジスタＴｒ１、Ｔｒ２はそれぞれ“ハイ”状態の第３駆動電圧ＡＶＤＤ３を同時に第１及び第２出力端子ＯＴ１、ＯＴ２に出力する。しかし、第１及び第２駆動電圧ＡＶＤＤ１、ＡＶＤＤ２のうち少なくとも一つが“ロー”状態であると、第１及び第２トランジスタＴｒ１、Ｔｒ２は“ハイ”状態の第３駆動電圧ＡＶＤＤ３を出力しない。
【００２７】
結果として、出力タイミング制御部１３０は、第１及び第２駆動電圧ＡＶＤＤ１、ＡＶＤＤ２がすべて“ハイ”状態で発生される時点のみで第１及び第２出力端子ＯＴ１、ＯＴ２に第３駆動電圧ＡＶＤＤ３を同時に出力でき、出力された第３駆動電圧ＡＶＤＤ３は、ガンマ電圧発生部１４０、第１及び第２データ駆動部１５０、１６０に供給される。ガンマ電圧発生部１４０は第３駆動電圧ＡＶＤＤ３に基づいて複数のガンマ電圧ＶＧＭＭＡを発生させるので、複数のガンマ電圧ＶＧＭＭＡは常に第３駆動電圧ＡＶＤＤ３より後で第１及び第２データ駆動部１５０、１６０に印加することができる。したがって、複数のガンマ電圧ＶＧＭＭＡが第３駆動電圧ＡＶＤＤ３より高い電位を有する逆電位現象による第１及び第２データ駆動部１５０、１６０の損傷を防止できる。
【００２８】
図４は、図１に示した第２データ駆動部を概略的に示す断面図である。
図４に示すように、第２データ駆動部１６０には、Ｐ型ダイオード（Ｐ−ｄｉｏｄｅ）が具備され得る。Ｐ型ダイオード（Ｐ−ｄｉｏｄｅ）のＮ型ドーピング領域Ｎ＋には第３駆動電圧ＡＶＤＤ３が印加され、Ｐ型ドーピング領域Ｐ＋にはガンマ電圧ＶＧＭＭＡが印加される。
【００２９】
ここで、ガンマ電圧ＶＧＭＭＡが第３駆動電圧ＡＶＤＤ３より高い電位を有すれば、Ｐ型ダイオード（Ｐ−ｄｉｏｄｅ）では逆電位が発生しＰＮ接合部分が破壊され得る。しかし、本発明による第２データ駆動部１６０には、ガンマ電圧ＶＧＭＭＡが常に第３駆動電圧ＡＶＤＤ３より後で印加されるため、ガンマ電圧ＶＧＭＭＡは常に第３駆動電圧ＡＶＤＤ３より低い電位を有する。したがって、第２データ駆動部１６０で逆電位によりＰＮ接合部分が破壊されることを防止できる。ここで、ＡＶＳＳは接地電圧または接地電圧より低い電圧であり得る。
【００３０】
図５は、本発明の他の実施形態による駆動装置のブロック図であって、図６は、図５に示した出力タイミング制御部の回路図であって、図７は、図６に示した出力タイミング制御部の入／出力波形図である。但し、図５に示した構成要素の中で図１に示したものと同じ構成要素には同じ参照符号を付け、その具体的な説明を省略する。
【００３１】
図５に示すように、本発明の他の実施形態による駆動装置１９０は、出力タイミング制御部１７０に対しタイミング制御信号ＣＴＬを出力するタイミングコントローラ１８０をさらに含む。
具体的には、タイミングコントローラ１８０は、外部装置から様々な制御信号Ｏ−ＣＳ及び画像信号Ｉ−ＤＡＴＡを受信する。タイミングコントローラ１８０は、様々な制御信号Ｏ−ＣＳに基づいて第１及び第２データ制御信号ＣＳ１、ＣＳ２を生成し、出力タイミング制御部１７０を制御するためのタイミング制御信号ＣＴＬを生成する。
【００３２】
第１データ駆動部１５０は、第１データ制御信号ＣＳ１に応答して第１画像信号ＤＡＴＡ１を受信し、複数のガンマ電圧ＶＧＭＭＡに基づいて第１画像信号ＤＡＴＡ１を第１データ信号Ｄ１〜Ｄｍに変換して出力する。第２データ駆動部１６０は、第２データ制御信号ＣＳ２に応答して第２画像信号ＤＡＴＡ２を受信し、複数のガンマ電圧ＶＧＭＭＡに基づいて第２画像信号ＤＡＴＡ２を第２データ信号Ｄｍ＋１〜Ｄ２ｍに変換して出力する。
一方、出力タイミング制御部１７０は、タイミング制御信号ＣＴＬに基づいて出力タイミング制御部１７０から第３駆動電圧ＡＶＤＤ３が出力される時点を制御する。
【００３３】
図６及び図７に示すように、出力タイミング制御部１７０は、第１電圧発生部１１０（図５参照）から第１駆動電圧ＡＶＤＤ１を受ける第１入力端子ＩＴ１と、第２電圧発生部１２０（図５参照）から第２駆動電圧ＡＶＤＤ２を受ける第２入力端子ＩＴ２と、タイミング制御信号ＣＴＬを受信する第３入力端子ＩＴ３と、第３駆動電圧ＡＶＤＤ３を同時に出力する第１及び第２出力端子ＯＴ１、ＯＴ２とを含む。なお、出力タイミング制御部１７０は、第１入力端子ＩＴ１と第１出力端子ＯＴ１との間に配置された第３トランジスタＴｒ３及び第２入力端子ＩＴ２と前記第２出力端子ＯＴ２との間に配置された第４トランジスタＴｒ４を具備する。
【００３４】
具体的には、第３トランジスタＴｒ３は、第１入力端子ＩＴ１に接続された入力電極と、第３入力端子ＩＴ３に接続された制御電極と、第１出力端子ＯＴ１に接続された出力電極とで構成される。第４トランジスタＴｒ４は、第２入力端子ＩＴ２に接続された入力電極と、第３入力端子ＩＴ３に接続された制御電極と、第２出力端子ＯＴ２に接続された出力電極とで構成される。
【００３５】
したがって、第３及び第４トランジスタＴｒ３、Ｔｒ４は、タイミング制御信号ＣＴＬに応答して第３駆動電圧ＡＶＤＤ３を出力する。即ち、タイミング制御信号ＣＴＬが“ハイ”状態で発生されると、第３及び第４トランジスタＴｒ３、Ｔｒ４は、各々“ハイ”状態の第３駆動電圧ＡＶＤＤ３を同時に第１及び第２出力端子ＯＴ１、ＯＴ２に出力する。
ここで、タイミング制御信号ＣＴＬは、第１及び第２駆動電圧ＡＶＤＤ１、ＡＶＤＤ２がすべて“ハイ”状態である期間で“ハイ”状態で発生される。このようなタイミング制御信号ＣＴＬの状態は、タイミングコントローラ１８０により制御される。
【００３６】
結果として、出力タイミング制御部１７０は、第１及び第２駆動電圧ＡＶＤＤ１、ＡＶＤＤ２がすべて“ハイ”状態で発生される時点のみで第１及び第２出力端子ＯＴ１、ＯＴ２に第３駆動電圧ＡＶＤＤ３を同時に出力でき、出力された第３駆動電圧ＡＶＤＤ３は、ガンマ電圧発生部１４０と第１及び第２データ駆動部１５０、１６０に供給される。
【００３７】
ガンマ電圧発生部１４０は、第３駆動電圧ＡＶＤＤ３に基づいて複数のガンマ電圧ＶＧＭＭＡを発生させるので、複数のガンマ電圧ＶＧＭＭＡは常に第３駆動電圧ＡＶＤＤ３より後で第１及び第２データ駆動部１５０、１６０に印加することができる。したがって、複数のガンマ電圧ＶＧＭＭＡが第３駆動電圧ＡＶＤＤ３より高い電位を有する逆電位現象による第１及び第２データ駆動部１５０、１６０の損傷を防止できる。
【００３８】
図８は、本発明の一実施形態による表示装置のブロック図である。
図８に示すように、表示装置４００は、表示パネル３００、メイン印刷回路基板２１０、第１及び第２データ印刷回路基板２２０、２３０、第１及び第２データ駆動部２６１、２６２、及び第１及び第２ゲート駆動部２７１、２７２を含む。
【００３９】
メイン印刷回路基板２１０上には、第１及び第２電圧発生部１１０、１２０、出力タイミング制御部１３０及びガンマ電圧発生部１４０が具備される。第１及び第２電圧発生部１１０、１２０、出力タイミング制御部１３０及びガンマ電圧発生部１４０は、各々別途のチップからなり、メイン印刷回路基板２１０上に実装され得る。第１及び第２電圧発生部１１０、１２０、出力タイミング制御部１３０及びガンマ電圧発生部１４０については、図１のところで具体的に説明したので、詳しい説明は省略する。
【００４０】
メイン印刷回路基板２１０は、フレキシブル回路基板２４０を通して第１及び第２データ印刷回路基板２２０、２３０に電気的に接続される。したがって、出力タイミング制御部１３０から出力された第３共通電圧ＡＶＤＤ３と、ガンマ電圧発生部１４０から出力された複数のガンマ電圧ＶＧＭＭＡとは、フレキシブル回路基板２４０を介して第１及び第２データ印刷回路基板２２０、２３０側に伝達される。
【００４１】
第１データ印刷回路基板２２０は、複数の第１テープキャリアパッケージ２５１を介して表示パネル３００に電気的に接続され、第２データ印刷回路基板２３０は、複数の第２テープキャリアパッケージ２５２を介して表示パネル３００に電気的に接続される。
【００４２】
第１及び第２データ駆動部２６１、２６２は、各々複数の第１駆動チップ２６１ａ及び複数の第２駆動チップ２６２ａで構成される。複数の第１及び第２駆動チップ２６１ａ、２６２ａは、複数の第１及び第２テープキャリアパッケージ２５１、２５２上にそれぞれ実装され得る。したがって、複数の第１及び第２駆動チップ２６１ａ、２６２ａはメイン印刷回路基板２１０から出力された第３駆動電圧ＡＶＤＤ３と複数のガンマ電圧ＶＧＭＭＡに応答して動作できる。
【００４３】
表示パネル３００には、複数のゲートラインＧＬ１〜ＧＬｎと複数のデータライン（ＤＬ１〜ＤＬｍ、ＤＬｍ＋１〜ＤＬ２ｍ）が具備される。複数のゲートラインＧＬ１〜ＧＬｎと複数のデータライン（ＤＬ１〜ＤＬｍ、ＤＬｍ＋１〜ＤＬ２ｍ）は互いに直交する方向に延長され、互いに絶縁して交差する。特に、複数のデータライン（ＤＬ１〜ＤＬｍ、ＤＬｍ＋１〜ＤＬ２ｍ）は、表示パネル３００を左右に二等分する仮想線ＣＬを基準に左側に具備される第１グループＤＬ１〜ＤＬｍ及び仮想線ＣＬを基準に右側に具備される第２グループＤＬｍ＋１〜ＤＬ２ｍに区分される。
複数の第１駆動チップ２６１ａは、第１グループＤＬ１〜ＤＬｍに電気的に接続され、第１データ信号を印加し、複数の第２駆動チップ２６２ａは、第２グループＤＬｍ＋１〜ＤＬ２ｍに電気的に接続され、第２データ信号を印加する。
【００４４】
一方、複数のゲートラインＧＬ１〜ＧＬｎの両端部に隣接して、第１及び第２ゲート駆動部２７１、２７２がそれぞれ具備される。第１及び第２ゲート駆動部２７１、２７２はメイン印刷回路基板２１０から供給されたゲートオン電圧及びゲートオフ電圧をそれぞれ受けて、ゲート信号を順次に出力する。第１及び第２ゲート駆動部２７１、２７２から出力されたゲート信号はゲートラインの両端部を介して複数のゲートラインＧＬ１〜ＧＬｎに順次に印加され得る。
【００４５】
表示パネル３００には複数のゲートラインＧＬ１〜ＧＬｎと複数のデータライン（ＤＬ１〜ＤＬｍ、ＤＬｍ＋１〜ＤＬ２ｍ）によってマトリックス状に複数の画素領域が定義され、複数の画素領域には、複数の画素がそれぞれ具備される。各画素は薄膜トランジスタＴＦＴ及び液晶キャパシタＣＬＣで構成される。本発明の一例として、一番目の画素Ｐ１において、薄膜トランジスタＴＦＴは、第１ゲートラインＧＬ１に接続されたゲート電極と、第１データラインＤＬ１に接続されたソース電極と、液晶キャパシタＣＬＣに接続されたドレイン電極とで構成される。
【００４６】
したがって、薄膜トランジスタＴＦＴはゲート信号に応答して第１データ信号をドレイン電極に出力する。液晶キャパシタＣＬＣはドレイン電極に接続された第１電極、共通電圧を受ける第２電極、及び第１電極と第２電極との間に介在する液晶層（図示せず）で構成される。したがって、液晶キャパシタＣＬＣにはドレイン電極に印加された第１データ信号と共通電圧との電位差に該当する電圧が充電され、充電された電圧の大きさによって液晶層の光透過度が制御される。
【００４７】
表示パネル３００は、表示パネル３００の後面又は前面から提供される光の透過度を液晶層によって制御して、表示パネル３００の画面上に所望の階調の画像を表示できる。
表示パネル３００が大型化すれば、電圧発生部から出力される駆動電圧の出力容量が不足する可能性があるため、上述したようにメイン印刷回路基板２１０には第１及び第２電圧発生部１１０、１２０が具備される。また、第１及び第２電圧発生部１１０、１２０から出力される第１及び第２駆動電圧ＡＶＤＤ１、ＡＶＤＤ２の間に時間差が生じ得るので、メイン印刷回路基板２１０には出力タイミング制御部１３０がさらに具備され得る。
【００４８】
出力タイミング制御部１３０は、第１及び第２駆動電圧ＡＶＤＤ１、ＡＶＤＤ２を受けて第３駆動電圧ＡＶＤＤ３を第１及び第２データ駆動部２６１、２６２に同時に供給する。したがって、第３駆動電圧ＡＶＤＤ３によって、第１及び第２データ駆動部２６１、２６２の駆動時点を同期することができ、その結果、仮想線ＣＬを基準に表示パネル３００の左右側の画面に画像を同時に表示することができる。
【００４９】
また、ガンマ電圧発生部１４０は、出力タイミング制御部１３０からの第３駆動電圧ＡＶＤＤ３に基づいて複数のガンマ電圧ＶＧＭＭＡを発生させて、複数のガンマ電圧ＶＧＭＭＡは常に第３駆動電圧ＡＶＤＤ３より後で第１及び第２データ駆動部１５０、１６０に印加することができる。したがって、複数のガンマ電圧ＶＧＭＭＡと第３駆動電圧ＡＶＤＤ３間の逆電位現象を防止し、逆電位現象による第１及び第２データ駆動部１５０、１６０の損傷を防止できる。
【００５０】
尚、本発明は、上述の実施形態に限られるものではない。本発明の技術的範囲から逸脱しない範囲内で多様に変更実施することが可能である。
【図面の簡単な説明】
【００５１】
【図１】本発明の一実施形態による駆動装置のブロック図である。
【図２】図１の出力タイミング制御部の回路図である。
【図３】図２の出力タイミング制御部の入／出力波形図である。
【図４】図１の第２データ駆動部を概略的に示す断面図である。
【図５】本発明の他の実施形態による駆動装置のブロック図である。
【図６】図５の出力タイミング制御部の回路図である。
【図７】図６の出力タイミング制御部の入／出力波形図である。
【図８】本発明の一実施形態による表示装置のブロック図である。
【符号の説明】
【００５２】
１００、１９０    駆動装置
１１０      第１電圧発生部
１２０      第２電圧発生部
１３０、１７０    出力タイミング制御部
１４０      ガンマ電圧発生部
１５０、２６１    第１データ駆動部
１６０、２６２    第２データ駆動部
１８０      タイミングコントローラ
２１０      メイン印刷回路基板
２２０      第１データ印刷回路基板
２３０      第２データ印刷回路基板
２４０      フレキシブル回路基板
２５１      第１テープキャリアパッケージ
２５２      第２テープキャリアパッケージ
２６１ａ    第１駆動チップ
２６２ａ    第２駆動チップ
２７１      第１ゲート駆動部
２７２      第２ゲート駆動部
３００      表示パネル
４００      表示装置
【図１】
0005268054.tif 000002
【図２】
0005268054.tif 000003
【図３】
0005268054.tif 000004
【図４】
0005268054.tif 000005
【図５】
0005268054.tif 000006
【図６】
0005268054.tif 000007
【図７】
0005268054.tif 000008
【図８】
0005268054.tif 000009